【事件の表示】
　特許第３４０５３４９号「有機ＥＬ表示装置」の請求項１ないし３に係る特許に対する特許異議の申立てについて、次のとおり決定する。
【結　論】
　訂正を認める。
　特許第３４０５３４９号の請求項１及び２に係る特許を維持する。
【理　由】
１．手続の経緯
　　特許第３４０５３４９号の請求項１乃至３に係る発明についての出願は、平成１４年１月１１日に特許出願され、平成１５年３月７日にその発明について特許権の設定登録がなされ、その後、その特許について、異議申立人・大沢敏昭より特許異議の申立てがなされ、取消しの理由が通知され、その指定期間内である平成１７年４月８日に訂正請求がなされたものである。
　
２．訂正の適否についての判断
（１）訂正の内容
ア．訂正事項ａ
（イ）特許請求の範囲の請求項１中の「有機ＥＬ表示装置において、」を、「セグメントタイプの画素構成を有する有機ＥＬ表示装置において、」に訂正する。
（ロ）同請求項１中の「前記陽極（２）と前記陰極（８）に対応した一対の電極からなり前記画素（Ｇ１、Ｇ２）に電流を供給するための非発光領域としての配線部（Ｈ１、Ｈ２）が、各々の前記画素に接続されており、」を、「前記陽極（２）と前記陰極（８）に対応した一対の電極からなり前記画素（Ｇ１、Ｇ２）に電流を供給するための，前記陽極と前記陰極とが重なった非発光領域としての容量を持つ配線部（Ｈ１、Ｈ２）が、各々の前記画素に接続されており、」に訂正する。
（ハ）同請求項１中の「前記配線部（Ｈ１、Ｈ２、Ｈ１０）の容量」を、「前記配線部（Ｈ１、Ｈ２、Ｈ１０）の前記容量」に訂正する。
（ニ）同請求項１中の「前記陽極（２）および前記陰極（８）をパターニングすることにより、」を、「前記陽極（２）および前記陰極（８）をバターニングし、さらに前記陰極（８）は前記画素（Ｇ１、Ｇ２、Ｂ１、Ｂ２）を囲むようにパターニングすることにより、」に訂正する。
イ．訂正事項ｂ
（イ）特許請求の範囲の請求項２中の「有機ＥＬ表示装置において、」を、「セグメントタイプの画素構成を有する有機ＥＬ表示装置において、」に訂正する。
（ロ）同請求項２中の「前記陽極（２）と前記陰極（８）に対応した一対の電極からなり前記画素（Ｇ１、Ｇ２）に電流を供給するための非発光領域としての配線部（Ｈ１、Ｈ２）が、各々の前記画素に接続されており、」を、「前記陽極（２）と前記陰極（８）に対応した一対の電極からなり前記画素（Ｇ１、Ｇ２）に電流を供給するための，前記陽極と前記陰極とが重なった非発光領域としての容量を持つ配線部（Ｈ１、Ｈ２）が、各々の前記画素に接続されており、」に訂正する。
（ハ）同請求項２中の「前記配線部の容量」を、「前記配線部の前記容量」に訂正する。
ウ．訂正事項ｃ
　特許請求の範囲の請求項３を削除する。
エ．訂正事項ｄ
　同請求項３の削除に伴い、同「請求項４」を、請求項の数を繰り上げて「請求項３」と訂正し、また従属先を請求項３に代えて「請求項１」と訂正する。
オ．訂正事項ｅ
　同請求項３の削除に伴い、同「請求項５」を、請求項の数を繰り上げて「請求項４」と訂正し、また従属先を請求項４に代えて「請求項３」と訂正する。
カ．訂正事項ｆ
　特許請求の範囲の請求項１の訂正に伴って、特許明細書の段落【００１１】を次のとおり訂正する。
（イ）「有機ＥＬ表示装置において、」とあるのを、「セグメントタイプの画素構成を有する有機ＥＬ表示装置において、」に訂正する。
（ロ）「前記陽極（２）と前記陰極（８）に対応した一対の電極からなり前記画素（Ｇ１、Ｇ２）に電流を供給するための非発光領域としての配線部（Ｈ１、Ｈ２）が、各々の前記画素に接続されており、」とあるのを、「前記陽極（２）と前記陰極（８）に対応した一対の電極からなり前記画素（Ｇ１、Ｇ２）に電流を供給するための，前記陽極と前記陰極とが重なった非発光領域としての容量を持つ配線部（Ｈ１、Ｈ２）が、各々の前記画素に接続されており、」に訂正する。
（ハ）「前記配線部（Ｈ１、Ｈ２、Ｈ１０）の容量」とあるのを、「前記配線部（Ｈ１、Ｈ２、Ｈ１０）の前記容量」に訂正する。
（ニ）「前記陽極（２）および前記陰極（８）をパターニングすることにより、」とあるのを、「前記陽極（２）および前記陰極（８）をバターニングし、さらに前記陰極（８）は前記画素（Ｇ１、Ｇ２、Ｂ１、Ｂ２）を囲むようにパターニングすることにより、」に訂正する。
キ．訂正事項ｇ
　特許明細書の段落【００１９】の「請求項４は請求項３」を、「請求項３は請求項１」に訂正する。
　
（２）訂正の目的の適否、新規事項の有無及び拡張・変更の存否
　訂正事項ａの訂正（イ）は、特許請求の範囲の請求項１における有機ＥＬ表示装置がセグメントタイプの画素構成を有するものであることに減縮したものである。ＥＬ表示装置がセグメントタイプの画素構成を有するものであることは特許明細書の段落【０００１】、【０００３】、【０００４】、【０００５】に記載されている。
　訂正事項ａの訂正（ロ）は、同請求項１における「容量を持つ配線部」が「陽極と陰極とが重なった非発光領域部分」であることを明確化した訂正である。これは、特許明細書の段落【００５５】、【００６２】に記載されている。
　訂正事項ａの訂正（ハ）は、訂正（ロ）の「容量」を受けて「前記容量」とした訂正である。
　訂正事項ａの訂正（ニ）は、同請求項３を請求項１に合体した訂正である。この訂正は特許請求の範囲の減縮である。
　したがって、訂正事項ａの訂正は、特許請求の範囲の減縮を目的とする訂正に該当する。
　訂正事項ｂの訂正は、訂正事項ａの訂正と同様の訂正であり、特許請求の範囲の減縮を目的とする訂正に該当する。
　訂正事項ｃの訂正は、同請求項３を削除する訂正であり、特許請求の範囲の減縮を目的とする訂正に該当する。
　訂正事項ｄ、ｅの訂正は、訂正事項ｃによる特許請求の範囲の削除に伴う訂正であり、明りょうでない記載の釈明を目的とする訂正に該当する。
　訂正事項ｆの訂正は、訂正事項ａによる特許請求の範囲の訂正に伴う訂正であり、明りょうでない記載の釈明を目的とする訂正に該当する。
　訂正事項ｇの訂正は、訂正事項ｃ、ｄによる特許請求の範囲の訂正に伴う訂正であり、明りょうでない記載の釈明を目的とする訂正に該当する。
　また、上記訂正事項ａ乃至ｇはいずれも、新規事項の追加に該当せず、実質的に特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立ての概要
（Ａ）異議申立人は、甲第１号証（特願２０００−２８５２１５号（特開２００２−９３５８５号公報参照）の願書に最初に添付した明細書及び図面）（以下、「先願明細書」という。）を提出して、本件の請求項１乃至３に係る発明（訂正後の本件の請求項１及び２に係る発明、以下、「本件発明１及び２」という。）の特許は特許法第２９条の２の規定に違反してなされたものであるから、本件発明１及び２の特許を取り消すべき旨、
（Ｂ）異議申立人は、甲第２号証、甲第３号証、及び参考資料１〜３を提出して、本件発明１及び２の特許は特許法第２９条第１項第３号及び第２９条第２項の規定に違反してなされたものであるから、本件発明１及び２の特許を取り消すべき旨、主張している。
　
４．特許異議申立て理由のうち（Ａ）についての判断
（１）本件発明
　上記２．で示したように上記訂正が認められるから、本件発明１及び２は、上記訂正に係る訂正明細書の特許請求の範囲の請求項１及び２に記載された事項に特定される次のとおりのものである。
「【請求項１】陽極（２）と陰極（８）との間に有機ＥＬ材料からなる有機層（３〜７）を挟んでなる発光領域としての画素（Ｇ１、Ｇ２、Ｂ１、Ｂ２）を有するとともに、この画素が複数設けられており、定電流駆動方式とされたセグメントタイプの画素構成を有する有機ＥＬ表示装置において、
　前記陽極（２）と前記陰極（８）に対応した一対の電極からなり前記画素（Ｇ１、Ｇ２）に電流を供給するための、前記陽極と前記陰極とが重なった非発光領域としての容量を持つ配線部（Ｈ１、Ｈ２）が、各々の前記画素に接続されており、
　前記配線部（Ｈ１、Ｈ２、Ｈ１０）の前記容量が前記画素（Ｇ１、Ｇ２、Ｂ１、Ｂ２）の容量に対して小さくなるように前記陽極（２）および前記陰極（８）をパターニングし、さらに前記陰極（８）は前記画素（Ｇ１、Ｇ２、Ｂ１、Ｂ２）を囲むようにパターニングすることにより、各々の前記画素における光学波形の立ち上がりが等しくなっており、
　かつ前記画素（Ｇ１、Ｇ２、Ｂ１、Ｂ２）相互の発光面積が異なることを特徴とする有機ＥＬ表示装置。
【請求項２】陽極（２）と陰極（８）との間に有機ＥＬ材料からなる有機層（３〜７）を挟んでなる発光領域としての画素（Ｇ１、Ｇ２、Ｂ１、Ｂ２）を有するとともに、この画素が複数個設けられており、定電流駆動方式とされたセグメントタイプの画素構成を有する有機ＥＬ表示装置において、
　前記陽極（２）と前記陰極（８）に対応した一対の電極からなり前記画素（Ｇ１、Ｇ２）に電流を供給するための、前記陽極と前記陰極とが重なった非発光領域としての容量を持つ配線部（Ｈ１、Ｈ２）が、各々の前記画素に接続されており、
　ガラス基板の外部にコンデンサを付加することによって前記複数個の画素の少なくとも一つの画素と並列に前記コンデンサを接続することにより、各々の前記画素における前記画素の容量と前記配線部の前記容量との比を、各々の画素相互において略同一とし、各々の前記画素相互における光学波形の立ち上がりが等しくなっていることを特徴とする有機ＥＬ表示装置。」
　
（２）先願明細書に記載された発明
　先願明細書には、次の発明が記載されている。
　発光立上時間の差による複数の発光部における発光輝度の差を改善することを可能とする有機ＥＬ素子に関するもので、
（１）【請求項１】には、「透光性の基板の非発光面上に位置する透明電極と、この透明電極の上に位置して発光を呈する有機層と、この有機層の上に位置して前記透明電極と対向する背面電極とを設け、前記透明電極で発光形状を定める複数個のセグメント部とこの各セグメント部へ個別に電流を供給する複数個の配線部とを形成する有機ＥＬ素子であって、前記セグメント部での発光輝度が前記セグメント部の中の最小輝度に対して３０％大きい範囲に収まるように発光輝度が高い前記セグメント部の前記配線部の面積を大きくすることを特徴とする有機ＥＬ素子。」が記載され、また、【請求項６】には、「透光性の基板の非発光面上に位置する透明電極と、この透明電極の上に位置して発光を呈する有機層と、この有機層の上に位置して前記透明電極と対向する背面電極とを設け、前記透明電極で発光形状を定める複数個のセグメント部とこの各セグメント部へ個別に電流を供給する複数個の配線部とを形成する有機ＥＬ素子であって、前記セグメント部での発光輝度が前記セグメント部の中の最大輝度に対して３０％小さい範囲に収まるように発光輝度が低い前記セグメント部の前記配線部の面積を小さくすることを特徴とする有機ＥＬ素子。」が記載されている。
（２）段落【０００２】には「【従来の技術】図３で示すように、特開平５−２３４６８１号公報等には、透光性絶縁基板１上に、透明電極２、有機層３、背面電極４を順次形成した有機ＥＬ素子が開示されており、有機層３は、例えば正孔注入層、正孔輸送層、発光層、電子輸送層から構成されている。」と記載され、また、段落【０００４】には「図４で示すように、ガラス板等の基板１の上に、ＩＴＯ等の透光性導電材料を用いて表示部Ｄとこれに電流を供給するための配線部Ｌとをパターン化して蒸着等の手段により形成する。表示部Ｄは、発光形状に相当するセグメント部（図４の点線で指示している範囲）Ｓよりも一回り大きめに形成してあり、図３で示すように、この透明電極２と有機層３との間には、ポリイミド系、アクリル系、フェノール系等の絶縁材料をスピンコートやロールコート等の適宜手段により成膜形成した絶縁層５が位置しており、表示部Ｄのセグメント部Ｓ以外の部分（絶縁層５がカバーしている部分）は、配線部Ｌの一部となっており、前記発光形状を除いて絶縁層５を形成する、すなわち、セグメント部Ｓ上の絶縁層５を除去することにより、セグメント部Ｓの形状を所望する前記発光形状としていた。」と記載されている。
　
（３）対比・判断
Ａ．本件発明１について
　本件発明１と先願明細書に記載された発明とを比較検討する。
　先願明細書の発明は、各々の画素における光学波形の立ち上がりが等しくなっているセグメントタイプの画素構成を有する有機ＥＬ表示装置である点で、本件発明１と技術的課題が共通する。
　しかしながら、先願明細書の有機ＥＬ表示装置は、先願明細書の段落【０００２】、【０００４】、図２〜図４の記載から明らかなように、本件発明１のように「陽極と陰極とが重なった非発光領域としての容量を持つ配線部（Ｈ１、Ｈ２、Ｈ１０）の前記容量が画素（Ｇ１、Ｇ２、Ｂ１、Ｂ２）の容量に対して小さくなるように前記陽極（２）および前記陰極（８）をパターニングし、さらに前記陰極（８）は前記画素（Ｇ１、Ｇ２、Ｂ１、Ｂ２）を囲むようにパターニングされている」ものではない。また、先願明細書には、本件発明１のように「画素（Ｇ１、Ｇ２、Ｂ１、Ｂ２）相互の発光面積が異なる」ことの明確な記載もない。
　したがって、本件発明１は、先願明細書に記載された発明と同一であるとすることはできない。
　
Ｂ．本件発明２について
　本件発明２と先願明細書に記載された発明とを比較検討する。
　先願明細書の発明は、各々の画素における画素の容量と配線部の容量との比を、各々の画素相互において略同一とし、各々の画素相互における光学波形の立ち上がりが等しくなっているセグメントタイプの画素構成を有する有機ＥＬ表示装置である点で、本件発明２と技術的課題が共通する。
　しかしながら、先願明細書の有機ＥＬ表示装置は、各々の画素における画素の容量と配線部の容量との比を各々の画素相互において略同一とする手段が、本願発明２のように「ガラス基板の外部にコンデンサを付加することによって複数個の画素の少なくとも一つの画素と並列に前記コンデンサを接続する手段」とするものではない。
　したがって、本件発明２は、先願明細書に記載された発明と同一であるとすることはできない。
　
５．特許異議申立て理由のうち（Ｂ）についての判断
（１）異議申立人提出の証拠／平成１７年１月３１日付けの取消理由で引用された刊行物
　刊行物１；特開２００１−２９０４４１号公報（異議申立人が提出した甲第２号証）
　刊行物２；特開２０００−３４０３５８号公報（同甲第３号証）
　刊行物３；特開２０００−２２１９４２号公報（同参考資料１）
　刊行物４；特開２００１−５４２６号公報（同参考資料２）
　刊行物５；特開２００１−３５６６９号公報（同参考資料３）
　　
（２）対比・判断
Ａ．本件発明１について
　本件発明１と上記刊行物１乃至５に記載された各発明とを比較検討する。
　刊行物１に記載される有機ＥＬ表示装置は、画素相互の発光面積が異なるものではあるが、ドットマトリクス形式のＴＦＴ型の表示装置であって、本件発明１のように「セグメントタイプの画素構成を有する有機ＥＬ表示装置」ではない。
　また、刊行物１の有機ＥＬ表示装置はドットマトリクス形式のＴＦＴ型であるから、本件発明１のように「陽極と陰極とが重なった非発光領域としての容量を持つ配線部（Ｈ１、Ｈ２、Ｈ１０）の前記容量が画素（Ｇ１、Ｇ２、Ｂ１、Ｂ２）の容量に対して小さくなるように前記陽極（２）および前記陰極（８）をパターニングし、さらに前記陰極（８）は前記画素（Ｇ１、Ｇ２、Ｂ１、Ｂ２）を囲むようにパターニングされている」ものではない。
　刊行物２乃至４には、有機ＥＬ素子の駆動方法として定電流駆動方法が開示されているにすぎず、本件発明１の上記構成を開示するものではない。
　刊行物５の段落【０００９】には「有機エレクトロルミネッセンス素子を所定の発光パターン形状で発光させる方策として、例えば陰極、有機発光膜及び陽極をそれぞれ所定の発光パターンどおりにパターニングして基板上に積層形成することが考えられるが、この場合、陰極、有機発光膜及び陽極をそれぞれパターニングしようとするとそれらの位置合わせを厳密に行わねばならず、・・」旨記載されているが、この刊行物５の技術に対して、表示方式が異なる刊行物１の「ドットマトリクス形式のＴＦＴ型の表示装置の画素相互の発光面積が異ならしめる技術」を適用することはできない。
　したがって、本件発明１は、刊行物３及び４の記載内容を基に刊行物１に記載された発明であるとはいえず、また、刊行物１乃至５に記載された各発明に基づいて当業者が容易になし得た発明であるとすることもできない。
　
Ｂ．本件発明２について
　本件発明２と上記刊行物１乃至５に記載された各発明とを比較検討する。
　刊行物１に記載される有機ＥＬ表示装置は、ドットマトリクス形式のＴＦＴ型の表示装置であって、本件発明２のように「セグメントタイプの画素構成を有する有機ＥＬ表示装置」ではない。
　また、刊行物１の有機ＥＬ表示装置は、本件発明２のように「ガラス基板の外部にコンデンサを付加することによって複数個の画素の少なくとも一つの画素と並列に前記コンデンサを接続することにより、各々の前記画素における前記画素の容量と配線部の容量との比を、各々の画素相互において略同一とし、各々の前記画素相互における光学波形の立ち上がりを等しくする」ものではない。
　刊行物２乃至４には、有機ＥＬ素子の駆動方法として定電流駆動方法が開示されているにすぎず、本件発明２の上記構成を開示するものではない。
　刊行物５にも、本件発明２の上記構成を開示する記載はない。
　したがって、本件発明２は、刊行物１乃至５に記載された各発明に基づいて当業者が容易になし得た発明であるとすることはできない。
　
　また、本件特許は特許法第３６条第６項第２号の規定に違反してなされたものであるとする取消理由については、上記訂正により解消したものと認められる。
　
６．むすび
　以上のとおりであるから、特許異議申立ての理由、その証拠及び平成１７年１月３１日付けの取消理由、その証拠によっては、本件発明１及び２についての特許を取り消すことができない。
　また、他に本件発明１及び２についての特許を取り消すべき理由を発見しない。
　よって、結論のとおり決定する。
【異議決定日】
平成１７年６月１５日（２００５．６．１５）
【訂正の要旨】
審決（決定）の【理由】欄参照。
（５４）【発明の名称】
有機ＥＬ表示装置
（５７）【特許請求の範囲】
　【請求項１】陽極（２）と陰極（８）との間に有機ＥＬ材料からなる有機層（３〜７）を挟んでなる発光領域としての画素（Ｇ１、Ｇ２、Ｂ１、Ｂ２）を有するとともに、この画素が複数設けられており、定電流駆動方式とされた
セグメントタイプの画素構成を有する
前記陽極（２）と前記陰極（８）に対応した一対の電極からなり前記画素（Ｇ１、Ｇ２）に電流を供給するための
、前記陽極と前記陰極とが重なった
容量を持つ
前記
し、さらに前記陰極（８）は前記画素（Ｇ１、Ｇ２、Ｂ１、Ｂ２）を囲むように
かつ前記画素（Ｇ１、Ｇ２、Ｂ１、Ｂ２）相互の発光面積が異なることを特徴とする有機ＥＬ表示装置。
　【請求項２】陽極（２）と陰極（８）との間に有機ＥＬ材料からなる有機層（３〜７）を挟んでなる発光領域としての画素（Ｇ１、Ｇ２、Ｂ１、Ｂ２）を有するとともに、この画素が複数個設けられており、定電流駆動方式とされた
セグメントタイプの画素構成を有する
前記陽極（２）と前記陰極（８）に対応した一対の電極からなり前記画素（Ｇ１、Ｇ２）に電流を供給するための
、前記陽極と前記陰極とが重なった
容量を持つ
前記
　【請求項
３
１
　【請求項
４
３
【発明の詳細な説明】
　【０００１】
　【発明の属する技術分野】本発明は、セグメントタイプの画素構成を有する有機ＥＬ（エレクトロルミネッセンス）表示装置に関する。
　【０００２】
　【従来の技術】セグメントタイプの画素構成を有する有機ＥＬ表示装置は、陽極と陰極との間に有機ＥＬ材料からなる有機層を挟んでなる複数個の画素を有し、この画素を発光領域として構成するものである。
　【０００３】このようなセグメントタイプの有機ＥＬ表示装置では、通常、異なる発光面積を持つ各画素に対し、画素毎に発光輝度が不均一となるのを防止する、すなわち輝度ムラを防止するために、発光面積に比例した電流量を画素毎に設定する定電流駆動方式が採用されている。
　【０００４】
　【発明が解決しようとする課題】しかしながら、本発明者等の検討によれば、上記定電流駆動方式においても、減光等を行うために、画素の発光期間を短くする、すなわち画素に印加する電流（駆動電流）のパルス幅を短くしていくと、輝度ムラが顕著となることがわかった。
　【０００５】そこで、本発明は上記問題に鑑み、発光領域としての複数個の画素を有し、定電流駆動方式にて駆動される有機ＥＬ表示装置において、輝度ムラを適切に防止することを目的とする。
　【０００６】
　【課題を解決するための手段】上記目的を達成するため、本発明者等は鋭意検討を行った。上記有機ＥＬ表示装置において、各画素には、陽極と陰極に対応した一対の電極からなり画素に電流を供給するための、非発光領域としての配線部が接続されている。
　【０００７】そして、各画素の発光面積に比例した駆動電流が設定されるが、この配線部の容量のために、発光領域である画素および非発光領域である配線部を含めたトータルの容量と設定電流の比にばらつきが生ずる場合がある。
　【０００８】その結果、発光に関与しない容量成分すなわち上記配線部の容量に充電を要する時間にばらつきを生ずるため、電圧波形ならびに光学波形の立ち上がりが、画素毎に異なり、輝度ムラを生ずることがわかった。特に、表示装置全体を減光するために駆動電流のパルス幅を短くする場合は、発光に関与しない容量成分への充電時間のばらつきの影響が相対的に大きくなり、輝度ムラが顕著となる。
　【０００９】さらに、複数の陰極ラインと複数の陽極ラインの交点を画素とした単純マトリクス駆動をする場合にも、同一の定電流源に対し、複数の画素が接続される。このとき、画素間の非発光領域の容量が異なるため、電圧波形や光学波形の立ち上がりにばらつきを生じ、その結果、画素間にムラが発生する。
　【００１０】本発明は、以上のような本発明者等の検討結果に基づいてなされたものである。
　【００１１】即ち、請求項１に記載の発明では、陽極（２）と陰極（８）との間に有機ＥＬ材料からなる有機層（３〜７）を挟んでなる発光領域としての画素（Ｇ１、Ｇ２、Ｂ１、Ｂ２）を有するとともに、この画素が複数個設けられており、定電流駆動方式とされた
セグメントタイプの画素構成を有する
、前記陽極と前記陰極とが重なった
容量を持つ
前記
、さらに前記陰極（８）は前記画素（Ｇ１、Ｇ２、Ｂ１、Ｂ２）を囲むように
　【００１２】それによれば、各々の画素相互における光学波形の立ち上がりを実質的に等しくなるようにすることで、画素毎に発光輝度が不均一となる輝度ムラを防止することができる。
　【００１３】
　【００１４】
　【００１５】また、請求項２のように、複数個の画素（Ｇ１、Ｇ２）の少なくとも一つの画素に対して並列に、ガラス基板の外部に付加したコンデンサ（Ｃ１０）を接続することにより、各々の画素相互における光学波形の立ち上がりを等しくするようにしても良い。
　【００１６】それによれば、上記コンデンサを設けた画素においては、配線部の容量は当該コンデンサを含めた容量となる。そのため、本発明によっても、各々の画素相互における光学波形の立ち上がりが等しくなるように、各々の画素における画素の容量と配線部の容量とを設定することができる。
　【００１７】
　【００１８】
　【００１９】請求項
３
１
　【００２０】また、本発明者等の検討によれば、画素（Ｇ１、Ｇ２、Ｂ１、Ｂ２）に印加する電流のパルス幅が１００μｓ以下である場合に、特に輝度ムラが顕著となるため、上記各手段はこのような場合に適用して有効である。
　【００２１】なお、上記各手段の括弧内の符号は、後述する実施形態に記載の具体的手段との対応関係を示す一例である。
　【００２２】
　【発明の実施の形態】以下、本発明を図に示す実施形態について説明する。
　【００２３】（第１実施形態）図１は本発明の第１実施形態に係る有機ＥＬ表示装置Ｓ１の概略平面構成を示す図であり、図２は図１中の発光領域としての画素Ｇ１、Ｇ２の断面図であり、図３は図１中の非発光領域としての配線部Ｈ１、Ｈ２の断面図である。
　【００２４】また、図４は、比較例としての従来の有機ＥＬ表示装置Ｊ１の概略平面構成を示す図であり、この従来の有機ＥＬ表示装置Ｊ１において発光領域としての画素の断面構成、非発光領域としての配線部の断面構成は、それぞれ上記図２、図３と同様である。
　【００２５】なお、図１および図４中、太線で示す２個の矩形は画素Ｇ１、Ｇ２を示し、斜線ハッチング部分は配線部Ｈ１、Ｈ２を示し、クロスハッチング部分は陽極２は存在するが陰極８が存在しない部分を示し、点々ハッチング部分は陰極８は存在するが陽極２は存在しない部分を示す。この太線および各ハッチングと構成要素との関係は、後述する第２および第３実施形態においても同様である。
　【００２６】図１、図４に示すように、画素Ｇ１、Ｇ２は、比較的発光面積の小さい画素Ｇ１と比較的発光面積の大きい画素Ｇ２とからなり、本例では、画素Ｇ１の面積をＳとすると画素Ｇ２の面積は４倍の４Ｓとしている。
　【００２７】図２に示すように、画素Ｇ１、Ｇ２はガラス基板１の上に、陽極（透明電極）２、ホール注入層３、ホール輸送層４、発光層５、電子輸送層６、電子注入層７、陰極８の順に積層された構造になっている。
　【００２８】これら陽極２〜陰極８は、通常の有機ＥＬ表示装置に用いられる材料を用いたものにできる。こうして、画素Ｇ１、Ｇ２は、陽極２と陰極８との間に有機ＥＬ材料からなる有機層３〜７を挟んでなる発光領域として構成されている。
　【００２９】また、図３に示すように、配線部Ｈ１、Ｈ２は、陽極２とホール注入層３との間にポリイミドなどからなる絶縁層９が入っていることが、画素Ｇ１、Ｇ２の積層構造と異なる。配線部Ｈ１、Ｈ２においては、この絶縁層９によって陽極２と陰極８との間に電流が流れず非発光領域となっているが、これら一対の電極２、８により画素Ｇ１、Ｇ２における陽極２および陰極８へ電流を供給するようになっている。
　【００３０】また、図１、図４中の点々ハッチング部分の積層構造は、本例では、図３に示す積層構造において、陽極２が存在せずに、ガラス基板１上に絶縁層９、有機層３〜７および陰極８が積層されたものである。また、図１、図４中のクロスハッチング部分は、本例では、図２に示す積層構造において、陽極２よりも上の層が存在しないもの、すなわちガラス基板１上に陽極２のみが積層されたものである。
　【００３１】つまり、本例では、図１、図４において、ガラス基板１の上に、画素Ｇ１、Ｇ２、斜線ハッチング部分およびクロスハッチング部分に陽極２が形成されており、画素Ｇ１、Ｇ２、斜線、ツチング部分および点々ハッチング部分に有機層３〜７および陰極８が形成されており、斜線ハッチング部分および点々ハッチング部分に絶縁層９が形成されている。
　【００３２】ここで、発光領域としての画素Ｇ１、Ｇ２は、その積層構造における各層間に面積に比例した静電容量を持つため、図５に示すような等価回路で表すことができる。つまり、図５に示すように、陽極２から陰極８へと電流が流れるダイオードＤ、有機層３〜７により形成される抵抗Ｒ、有機層３〜７を誘電体とする容量（コンデンサ）Ｃが接続された等価回路が形成される。
　【００３３】また、非発光領域としての配線部Ｈ１、Ｈ２では、絶縁層９の存在によって上記図５の等価回路におけるにダイオードとしての機能がなくなり、この部分は発光しない。しかしながら、層間の静電容量は存在するため、コンデンサ成分は残る。つまり、配線部Ｈ１、Ｈ２の等価回路は、上記図５において抵抗と容量が残った形となる。
　【００３４】また、図１および図４中、クロスハッチング部分で示す陽極２の部分および点々ハッチング部分で示す陰極８の部分は、陽極２および陰極８のうち電極が片側しか存在しないため、抵抗成分はもつものの、容量としては０である。
　【００３５】次に、図１に示す本第１実施形態の有機ＥＬ表示装置Ｓ１、図４に示す比較例としての有機ＥＬ表示装置Ｊ１を駆動する方法について説明する。
　【００３６】上述したように、有機ＥＬは単位面積当たりの電流量（電流密度）に輝度が依存するため、通常、発光面積に比例した電流量を画素毎に設定する定電流駆動方式が用いられている。本例では、画素Ｇ１は面積がＳのため、電流はｉとし、画素Ｇ２は面積が４Ｓのため、電流は４ｉと設定する。
　【００３７】このときの本第１実施形態の光学波形と電流波形を図６に、比較例の光学波形と電流波形を図７に示す。有機ＥＬは、等価回路（図５参照）で示すダイオード部に流れる電流に比例した発光が得られる特性をもつため、コンデンサに充電する電流は発光に関与しない。
　【００３８】そのため、発光の光学波形の立ち上がりに遅れ（Ｔｄ）が生ずる。また、遅れＴｄは、発光領域である画素Ｇ１、Ｇ２と非発光領域である配線部Ｈ１、Ｈ２の容量の総和に比例し、電流値に反比例する。
　【００３９】ここで、上記図４に示す比較例では、画素Ｇ１については、画素Ｇ１自身の容量Ｃと配線部Ｈ１（面積Ｓ’）の容量Ｃｗとの総和として総容量（Ｃ＋Ｃｗ）であり、供給電流はｉであるため、比例係数をＫとすると、発光の立ち上がり遅れＴｄは、次の数式１に示すようになる。
　【００４０】
　【数１】Ｔｄ＝Ｋ・（Ｃ＋Ｃｗ）／ｉ
これに対して、画素Ｇ２については、画素Ｇ２自身の容量４Ｃと配線部Ｈ２（面積Ｓ’）の容量Ｃｗとの総和として総容量（４Ｃ＋Ｃｗ）であり、供給電流は４ｉであるため、発光立ち上がり遅れＴｄ’は、次の数式２に示すようになる。
　【００４１】
　【数２】Ｔｄ’＝Ｋ・（４Ｃ＋Ｃｗ）／４ｉ
よって、図７に示すように、比較例では、画素Ｇ１と画素Ｇ２とで、光学波形の立ち上がりにばらつきが生じ、輝度ムラが発生する。
　【００４２】このように、従来では、各画素Ｇ１、Ｇ２の発光面積に比例した駆動電流ｉ、４ｉを設定しても、画素および配線部を含めたトータルの容量と設定電流の比にばらつきが生じ、発光に関与しない容量成分すなわち配線部の容量に充電を要する時間にばらつきを生ずる。そのため、光学波形の立ち上がりＴｄ、Ｔｄ’が異なり、輝度ムラを生ずる。
　【００４３】そこで、本第１実施形態では、図１に示すように、画素Ｇ１、Ｇ２の容量と配線部Ｈ１、Ｈ２の容量の比を各画素Ｇ１、Ｇ２間にて同一にしている。具体的には、画素Ｇ１では、画素Ｇ１自身の容量Ｃと配線部Ｈ１（面積Ｓ’）の容量Ｃｗとの総和として総容量（Ｃ＋Ｃｗ）とした。一方、画素Ｇ２では、比較例に比べて配線部Ｈ２の面積を大きくする（面積４Ｓ’）ことで、画素Ｇ２自身の容量４Ｃと配線部Ｈ２の容量４Ｃｗとの総和として総容量（４Ｃ＋４Ｃｗ）とした。
　【００４４】そして、本第１実施形態では、画素Ｇ１については、総容量（Ｃ＋Ｃｗ）であり、供給電流はｉであるため、比例係数をＫとすると、発光の立ち上がり遅れＴｄは、次の数式３に示すようになる。
　【００４５】
　【数３】Ｔｄ＝Ｋ・（Ｃ＋Ｃｗ）／ｉ
一方、本第１実施形態の画素Ｇ２については、総容量（４Ｃ＋４Ｃｗ）であり、供給電流は４ｉであるため、発光の立ち上がり遅れＴｄ’は、次の数式４に示すようになる。
　【００４６】
　【数４】Ｔｄ’＝Ｋ・（４Ｃ＋４Ｃｗ）／４ｉ＝Ｔｄ
よって、図６に示すように、本第１実施形態では、画素Ｇ１と画素Ｇ２とで、光学波形の立ち上がりが等しくなる。
　【００４７】このように、本第１実施形態によれば、各々の画素相互における光学波形の立ち上がりを実質的に等しくなるようにすることで、画素毎に発光輝度が不均一となる輝度ムラを防止することができる。そして、各画素間における容量に起因した輝度ムラを低減することで、高品位の表示を得ることができる。
　【００４８】（第２実施形態）図８は、本発明の第２実施形態に係る有機ＥＬ表示装置Ｓ２の概略平面構成を示す図である。本第２実施形態の考え方は、発光領域である画素の容量と非発光領域である配線部の容量の比を、各画素相互において略同一にするもので、上記第１実施形態と同じである。
　【００４９】上記第１実施形態では、パネル内部すなわちガラス基板１内に形成された配線部の容量（面積）を調節することで、各画素相互において画素の容量と配線部の容量の比を略同一にしていたが、本第２実施形態ではパネル外部に容量を作り込むことでそれを実現するものである。
　【００５０】具体的には、ガラス基板１の外部に設けられた回路におけるプリント板上のドライバ出力部等にコンデンサを付加するなどの方法によって、複数個の画素Ｇ１、Ｇ２の少なくとも一つの画素Ｇ２に対して並列にコンデンサを接続する。
　【００５１】図８では、容量Ｃｗの配線部Ｈ２を有する画素Ｇ２の電流供給ラインに、容量３Ｃｗのコンデンサ（チップコンデンサ等）Ｃ１０を並列に設けている。それにより、画素Ｇ２においては、配線部Ｈ２の容量はコンデンサＣ１０を含めた容量４Ｃｗとなり、画素Ｇ１と画素Ｇ２とで、上記数式３および数式４に示した関係が成立する。そのため、本第２実施形態においても、画素Ｇ１と画素Ｇ２とで、光学波形の立ち上がりが等しくなる。
　【００５２】よって、本第２実施形態によっても、各々の画素相互における光学波形の立ち上がりを実質的に等しくなるようにすることで、画素毎に発光輝度が不均一となる輝度ムラを防止することができる。そして、各画素間における容量に起因した輝度ムラを低減することで、高品位の表示を得ることができる。
　【００５３】（第３実施形態）本第３実施形態は、陽極２と陰極８に対応した一対の電極からなり画素に電流を供給するための非発光領域としての配線部が、各々の画素に接続されている場合、各々の画素において、配線部の容量を画素の容量に対して小さくするように陽極２および陰極８の少なくとも一方をパターニングするものである図９は、本発明の第３実施形態に係る有機ＥＬ表示装置Ｓ３の概略平面構成を示す図である。図９に示すものは、車載用メータ等にて数字を表示するセグメントタイプの有機ＥＬ表示装置であり、複数の陰極と複数の陽極の交点上に画素が配置されたマトリクス型のパネルである。
　【００５４】また、比較例として、図９に示すものと同様のタイプにおける従来の有機ＥＬ表示装置Ｊ２の概略平面構成を、図１０に示す。これら図９、図１０においては、簡単にするため、陰極８のライン数を２本とし、それぞれ陰極８１、陰極８２とする。
　【００５５】また、各陰極８１および８２に対応して形成された画素Ｂ１、Ｂ２においては、陽極２は共通となっている。そして、陽極２のうち陽極２と陰極８（８１、８２）とが重なった非発光領域部分（図９、図１０中の斜線ハッチング部分）が、各画素Ｂ１、Ｂ２に電流ｉを供給するとともに容量を持つ配線部Ｈ１０として構成されている。
　【００５６】次に、図９に示す本第３実施形態の有機ＥＬ表示装置Ｓ３、図１０に示す比較例としての有機ＥＬ表示装置Ｊ２を駆動する方法について説明する。これら各例では、定電流駆動方式に基づき、二つの画素Ｂ１、Ｂ２は面積がＳと同一であるため、駆動電流はともにｉとする。
　【００５７】このときの本第３実施形態における各電極２、８１、８２の電圧波形、電流波形、画素Ｂ１、Ｂ２の光学波形を図１１に示し、比較例における各電極２、８１、８２の電圧波形、電流波形、画素Ｂ１、Ｂ２の光学波形を図１２に示す。
　【００５８】まず、図１０に示す従来の有機ＥＬ表示装置Ｊ２の駆動方法について述べる。図１２に示すように、陰極８１が選択時（時刻ｔ１とする）では陰極８１は０Ｖ電位となり、陰極８２は電圧Ｖｒが印加される。また、陰極８２が選択時（時刻ｔ２とする）では、陰極８１はＶｒ電位となり、陰極８２は０Ｖ電位となる。
　【００５９】定電流制御により、陽極２からは一定の電流値ｉが供給されるが、陰極側の電圧により時刻ｔ１においては画素Ｂ１に供給され、時刻ｔ２においては画素Ｂ２に供給される。
　【００６０】ここで、時刻ｔ１においては画素Ｂ１が発光するが、この画素Ｂ１に係る非発光領域の面積すなわち容量を持つ配線部Ｈ１０の面積は他方の画素Ｂ２に比べて小さく、その配線部Ｈ１０が有する容量成分の充電に必要な時間が少なくてすむため、画素Ｂ１は比較的早く発光を開始する。
　【００６１】それに対して、時刻ｔ２においては画素Ｂ２が発光するが、この画素Ｂ２に係る非発光領域の面積すなわち容量を持つ配線部Ｈ１０の面積は他方の画素Ｂ１に比べて大きく、その配線部Ｈ１０が有する容量成分の充電に必要な時間が長くなるため、画素Ｂ２の光学波形の立ち上りがなまる。これにより、従来では、各画素Ｂ１、Ｂ２間の輝度が異なり、輝度ムラとなっていた。
　【００６２】そこで、本第３実施形態では、図９に示すように、画素Ｂ１、Ｂ２を囲むように陰極８（８１、８２）をパターニングすることにより、陽極と陰極が重なる部分の面積すなわち容量を持つ配線部Ｈ１０の面積をできるだけ小さくしている。
　【００６３】本第３実施形態の有機ＥＬ表示装置Ｓ３においても、上記比較例と同様の駆動方法を採用する。つまり、図１１に示すように、陰極８１、８２に選択的に電圧Ｖｒを印加することにより、駆動電流ｉを、時刻ｔ１においては画素Ｂ１に供給して発光させ、時刻ｔ２においては画素Ｂ２に供給して発光させる。
　【００６４】ここで、各画素Ｂ１、Ｂ２に係る非発光領域の面積すなわち容量を持つ配線部Ｈ１０の面積は非常に小さくなっており、各々の画素Ｂ１、Ｂ２において、配線部Ｈ１０の容量を画素Ｂ１、Ｂ２の容量に対して十分に小さくし、配線部Ｈ１０の容量を実質的に排除することができる。例えば、配線部Ｈ１０の容量Ｃｗを画素Ｂ１、Ｂ２の容量Ｃに対して、３倍以内とすることができる。
　【００６５】そのため、両時刻ｔ１、ｔ２において、その配線部Ｈ１０が有する容量成分の充電に必要な時間が少なくてすむため、画素Ｂ１、画素Ｂ２の光学波形の立ち上りがともに早くなる。こうして、各々の画素Ｂ１、Ｂ２相互における光学波形の立ち上がりを等しくできることにより、画素間の輝度ムラが低減する。このことは、減光時など、電流ｉのパルス幅（発光期間）が小さい時には特に効果がある。例えば、電流ｉのパルス幅（発光期間）が１００μｓ以下である場合に有効である。
　【００６６】また、図１３に、本第３実施形態の変形例としての有機ＥＬ表示装置の概略平面構成を示す。図１３においても、陰極８を、画素Ｇ１、Ｇ２を囲むようにパターニングをすることで、容量を持つ配線部Ｈ１、Ｈ２の面積を極力小さくしている。
　【００６７】そのため、この図１３の例においても、各々の画素Ｇ１、Ｇ２において、配線部Ｈ１、Ｈ２の容量を画素Ｇ１、Ｇ２の容量に対して十分に小さくし、配線部Ｈ１、Ｈ２の容量を実質的に排除することができる。そして、各画素Ｇ１、Ｇ２の光学波形の立ち上りがともに早くなるため、各画素相互における光学波形の立ち上がりが等しくなり、画素間の輝度ムラが低減する。
　【００６８】さらに、この変形例では、図１３に示すように、陰極８の外周に、陰極８と同じ材質の膜（例えばアルミ膜等）を用いてダミーの膜１１をパターニング形成している。これは、光学設計上、陰極８がない部分が見えると表示品位が下がるような場合に、このダミーの膜１１の存在によって表示品位を維持する効果がある。
　【００６９】なお、本第３実施形態では、各々の画素において、配線部の容量を画素の容量に対して小さくするように、陽極２をパターニングしても良いし、陽極２および陰極８の両方をパターニングするようにしても良い。
【図面の簡単な説明】
　【図１】本発明の第１実施形態に係る有機ＥＬ表示装置の概略平面図である。
　【図２】図１中の発光領域としての画素の断面図である。
　【図３】図１中の非発光領域としての配線部の断面図である。
　【図４】上記第１実施形態に対する比較例としての従来の有機ＥＬ表示装置の概略平面図である。
　【図５】発光領域としての画素の等価回路図である。
　【図６】図１に示す有機ＥＬ表示装置の光学波形と電流波形を示す図である。
　【図７】図４に示す有機ＥＬ表示装置の光学波形と電流波形を示す図である。
　【図８】本発明の第２実施形態に係る有機ＥＬ表示装置の概略平面図である。
　【図９】本発明の第３実施形態に係る有機ＥＬ表示装置の概略平面図である。
　【図１０】上記第３実施形態に対する比較例としての従来の有機ＥＬ表示装置の概略平面図である。
　【図１１】図９に示す有機ＥＬ表示装置における各電極の電圧波形、電流波形、画素の光学波形を示す図である。
　【図１２】図１０に示す有機ＥＬ表示装置における各電極の電圧波形、電流波形、画素の光学波形を示す図である。
　【図１３】上記第３実施形態の変形例としての有機ＥＬ表示装置の概略平面図である。
　【符号の説明】
　２…陽極、３…ホール注入層、４…ホール輸送層、５…発光層、６…電子輸送層、７…陰極、Ｃ１０…コンデンサ、Ｇ１、Ｇ２、Ｂ１、Ｂ２…画素、Ｈ１、Ｈ２、Ｈ１０…配線部。